(57)【要約】【課題】注文を行うユーザは処理装置個々の詳細な設定を意識させることなく注文作業を簡単且つ的確に実行させることが可能になると共に、作業を行う装置側のオペレータは、特別な専門的な知識を持っていなくても、注文通りの処理を簡単且つ的確に行うことができる情報処理装置等を提供する。【解決手段】注文サービスを実施するために複数のサービスサイトを提供する情報処理装置において、外部装置側で実施されるサービスの情報である実施サービス情報を格納する記憶手段と、格納された実施サービス情報に基づいて、外部装置側における処理装置の設定及び後加工処理の指示を表す設定方法指示書を生成し、生成した設定方法指示書を前記外部装置側へ配信する。【選択図】      図１１
2005011016.tif 000002
【特許請求の範囲】
【請求項１】
注文サービスを実施するための処理を行う外部装置に接続され、前記注文サービスを実施するために複数のサービスサイトを提供する情報処理装置において、
前記外部装置側で実施されるサービスの情報である実施サービス情報を格納する実施サービス記憶手段と、
前記実施サービス記憶手段に格納された実施サービス情報に基づいて、前記外部装置側における処理装置の設定及び後加工処理の指示を表す設定方法指示書を生成する指示書生成手段と、
前記生成した設定方法指示書を前記外部装置側へ配信する配信手段とを備えたことを特徴とする情報処理装置。
【請求項２】
前記サービスサイトが提供するサービス情報であるサイト提供サービス情報を格納するサイト提供サービス記憶手段と、前記サイト提供サービス記憶手段中の格納情報と前記実施サービス記憶手段中の格納情報とで共通で用いられる用語類を定義し格納する共通用語記憶手段と、前記サイト提供サービス記憶手段中の選択されたサイト提供サービス情報と対応する実施サービス情報を、前記サービス共通用語辞書記憶手段の格納情報を用いて前記実施サービス記憶手段から取得し、該取得した実施サービス情報を参照して、前記外部装置側で処理を実施する処理装置を選択する選択手段とを備えたことを特徴とする請求項１記載の情報処理装置。
【請求項３】
印刷注文サービスを実施するために複数のサービスサイトを提供するセンターサーバと、前記印刷注文サービスを実施するための印刷処理を行う複数の印刷拠点サーバとがネットワークにより接続されたネットワークシステムにおいて、
前記センターサーバは、前記印刷拠点サーバ側で実施される印刷サービスの情報を格納する印刷拠点実施サービス記憶手段と、前記印刷拠点実施サービス記憶手段に格納された印刷サービス情報に基づいて、前記印刷拠点サーバ側における印刷装置個別の印刷設定及び個別のオフライン後加工処理の指示を表す印刷設定方法指示書を生成する指示書生成手段と、前記生成した印刷設定方法指示書を前記印刷拠点サーバ側へ配信する配信手段とを備え、
前記印刷拠点サーバは、前記センターサーバより配信された前記印刷設定方法指示書を解析して印刷装置の設定及び後加工処理に関する情報を画面上に表示する印刷設定表示手段を有することを特徴とするネットワークシステム。
【請求項４】
前記印刷拠点サーバは、前記印刷装置の設定及びオフライン後加工処理に関する情報を、画面を用いて前記センターサーバに登録可能にする印刷装置管理手段を有することを特徴とする請求項３記載のネットワークシステム。
【請求項５】
注文サービスを実施するための処理を行う外部装置に接続され、前記注文サービスを実施するために複数のサービスサイトを提供する情報処理装置の制御方法において、
前記外部装置側で実施されるサービスの情報である実施サービス情報を格納する工程と、
前記格納された実施サービス情報に基づいて、前記外部装置側における処理装置の設定及び後加工処理の指示を表す設定方法指示書を生成する指示書生成工程と、
前記生成した設定方法指示書を前記外部装置側へ配信する配信工程とを実行することを特徴とする情報処理装置の制御方法。
【請求項６】
請求項５に記載の制御方法をコンピュータに実行させるための制御プログラム。
【請求項７】
請求項６に記載のプログラムをコンピュータ読み出し可能に記憶した記憶媒体。
【発明の詳細な説明】
【０００１】
【発明の属する技術分野】
本発明は、ネットワーク等に接続される情報処理装置、該情報処理装置を備えたネットワークシステム、前記情報処理装置の制御方法、該情報処理装置の制御方法を実行するための制御プログラム、及び該制御プログラムを記憶した記憶媒体に関する。
【０００２】
【従来の技術】
インターネットによる印刷注文サービス（以下、単に印刷サービスと記す）を実施するために、複数のサービスサイトを提供するセンターサーバと、印刷処理や後加工処理を行うための複数の印刷拠点サーバと、注文を行うユーザ側のクライアントコンピュータとがネットワークにより接続されたシステムは、従来より知られている（例えば、特許文献１参照。）。
【０００３】
このようなシステムにおいては、ユーザがクライアントコンピュータから、センターサーバ上のサービスサイトの印刷サービスを選択して印刷注文を出すことにより、複数の印刷拠点サーバの中から選択された印刷拠点サーバへデータが配信される。当該印刷拠点サーバ側のオペレータは、ユーザが選択した印刷サービスの情報から印刷装置の設定や後加工処理の方法を得て、印刷処理及び後加工処理を行うようになっている。
【０００４】
【特許文献１】
特開２００３−１０８４７１号公報、第３及び４頁、図１
【０００５】
【発明が解決しようとする課題】
上述したような従来のシステムでは、ユーザが印刷サービスを選択する際に、印刷装置固有の詳細設定項目まで意識させて設定させる必要があり、ユーザに高い専門的な知識が必要であった。
【０００６】
さらに、ユーザが選択した印刷サービスの情報から印刷装置の設定や後加工処理の方法を知るのは、印刷拠点サーバ側のオペレータの判断で行うため、印刷拠点サーバ側のオペレータにも高い専門的な知識が要求されていた。
【０００７】
本発明は上記従来の問題点に鑑み、注文を行うユーザは処理装置個々の詳細な設定を意識することなく注文作業を簡単且つ的確に実行でき、且つ作業を行う装置側のオペレータは、特別な専門的な知識を持っていなくても、注文通りの処理を簡単且つ的確に行うことができる情報処理装置、ネットワークシステム、情報処理装置の制御方法、制御プログラム及び記憶媒体を提供することを目的とする。
【０００８】
【課題を解決するための手段】
上記目的を達成するために、本発明の情報処理装置では、注文サービスを実施するための処理を行う外部装置に接続され、前記注文サービスを実施するために複数のサービスサイトを提供する情報処理装置において、前記外部装置側で実施されるサービスの情報である実施サービス情報を格納する実施サービス記憶手段と、前記実施サービス記憶手段に格納された実施サービス情報に基づいて、前記外部装置側における処理装置の設定及び後加工処理の指示を表す設定方法指示書を生成する指示書生成手段と、前記生成した設定方法指示書を前記外部装置側へ配信する配信手段とを備えたことを特徴とする。
【０００９】
本発明のネットワークシステムでは、印刷注文サービスを実施するために複数のサービスサイトを提供するセンターサーバと、前記印刷注文サービスを実施するための印刷処理を行う複数の印刷拠点サーバとがネットワークにより接続されたネットワークシステムにおいて、前記センターサーバは、前記印刷拠点サーバ側で実施される印刷サービスの情報を格納する印刷拠点実施サービス記憶手段と、前記印刷拠点実施サービス記憶手段に格納された印刷サービス情報に基づいて、前記印刷拠点サーバ側における印刷装置個別の印刷設定及び個別のオフライン後加工処理の指示を表す印刷設定方法指示書を生成する指示書生成手段と、前記生成した印刷設定方法指示書を前記印刷拠点サーバ側へ配信する配信手段とを備え、前記印刷拠点サーバは、前記センターサーバより配信された前記印刷設定方法指示書を解析して印刷装置の設定及び後加工処理に関する情報を画面上に表示する印刷設定表示手段を有することを特徴とする。
【００１０】
本発明の情報処理装置の制御方法では、注文サービスを実施するための処理を行う外部装置に接続され、前記注文サービスを実施するために複数のサービスサイトを提供する情報処理装置の制御方法において、前記外部装置側で実施されるサービスの情報である実施サービス情報を格納する工程と、前記格納された実施サービス情報に基づいて、前記外部装置側における処理装置の設定及び後加工処理の指示を表す設定方法指示書を生成する指示書生成工程と、前記生成した設定方法指示書を前記外部装置側へ配信する配信工程とを実行することを特徴とする。
【００１１】
【発明の実施の形態】
以下、本発明の実施の形態を図面に基づいて説明する。
【００１２】
＜システム構成＞
図１は、本発明の実施の一形態に係る情報処理装置を有するネットワークシステムの構成を示すブロック図である。
【００１３】
同図に示すように、クライアントコンピュータ１０１、センターサーバ１０２、及び印刷拠点サーバ１０３（１），１０３（２），…，１０３（Ｎ）が、インターネットなどのネットワーク１００を介して接続されている。
【００１４】
なお、印刷拠点サーバ１０３（１），１０３（２），…，１０３（Ｎ）は、各々同様な構成を有しており、以下、説明を簡略化するため、複数の印刷拠点サーバ１０３（１），１０３（２），…，１０３（Ｎ）の中で特定された印刷拠点サーバを指す場合は印刷拠点サーバ１０３（Ｘ）と記す。また、複数の印刷拠点サーバ１０３（１），１０３（２），…，１０３（Ｎ）の全てを指す場合は、単に印刷拠点サーバ１０３と記す。
【００１５】
センターサーバ１０２及び印刷拠点サーバ１０３は、それぞれ後述するようにＣＰＵ、ＲＯＭ、ＲＡＭ、ＨＤＤ等で構成され、専用の操作者が操作する情報処理装置（コンピュータ）により構成される。また、クライアントコンピュータ１０１は、ネットワーク閲覧モジュールを備える一般的な情報処理装置（コンピュータ）により構成される。ネットワーク１００は、本実施形態ではインターネットを例に説明するが、ＬＡＮ（Ｌｏｃａｌ  Ａｒｅａ  Ｎｅｔｗｏｒｋ）等の他のネットワークシステムであっても構わない。
【００１６】
＜システム全体の制御及び情報の流れ＞
図２は、本実施形態のネットワークシステムにおける制御及び情報の流れを示す図である。
【００１７】
同図において、クライアントコンピュータ１０１にて印刷注文データを作成したユーザ（発注者）は、インターネット閲覧可能なネットワーク閲覧モジュール２０１を用いてセンターサーバ１０２に印刷注文データを送信する。
【００１８】
センターサーバ１０２の受注処理モジュール２０２は、印刷サービス格納装置２０４に格納される印刷サービスを提示することによりクライアントコンピュータ１０１からの印刷注文を受注し、印刷サービス格納装置２０４に格納される印刷拠点実施サービスの情報を基に、印刷出力を行う印刷拠点サーバ１０３（Ｘ）を選択し、配信処理モジュール２０３により印刷拠点サーバ１０３（Ｘ）に印刷注文データを配信する。
【００１９】
印刷拠点サーバ１０３（Ｘ）の受注処理モジュール２０５は、センターサーバ１０２から配信された印刷注文データを受け取り、受け取った情報を印刷設定表示モジュール２０６が画面上に表示する。印刷拠点サーバ１０３（Ｘ）のオペレータは、画面上に表示された指示に従い印刷管理装置モジュール２０７を用いて印刷設定を施すことにより、ネットワーク２１０により接続された印刷装置２０８（Ｘ）に印刷物が出力され、さらに、画面上に表示された指示に従い後加工機２０９（Ｘ）を操作することにより、ユーザの所望した印刷サービスに応じた出力物を得る。
【００２０】
印刷装置２０８（１），…，２０８（Ｎ）は、ここでは説明を簡略化するため、複数の印刷装置２０８（１），…，２０８（Ｎ）の中で特定された印刷装置を指す場合は印刷装置２０８（Ｘ）と記す。また、複数の印刷装置２０８（１），…，２０８（Ｎ）の全てを指す場合は、単に印刷装置２０８と記す。
【００２１】
穴あけ機や断裁機、又は製本機などに代表される後加工機２０９（１），…，２０９（Ｎ）は、ここでは説明を簡略化するため、複数の後加工機２０９（１），…，２０９（Ｎ）の中で特定された後加工機を指す場合は後加工機２０９（Ｘ）と記す。また、複数の後加工機２０９（１），…，２０９（Ｎ）の全てを指す場合は、単に後加工機２０９と記す。また、後加工機２０９はネットワーク２１０で接続されている必要はない。
【００２２】
ネットワーク２１０は、一般的なネットワークシステムであって、本実施形態ではＬＡＮ（Ｌｏｃａｌ  Ａｒｅａ  Ｎｅｔｗｏｒｋ）を用いるが、常時接続可能なネットワークであれば他のネットワークシステムであっても構わない。
【００２３】
＜センターサーバ１０２及び印刷拠点サーバ１０３の構成＞
図３は、センターサーバ１０２及び印刷拠点サーバ１０３の具体的な構成例を示す図である。
【００２４】
同図において、３０１は情報処理装置の演算・制御を司る中央演算装置（以下、ＣＰＵと記す）である。３０２はランダムアクセスメモリ（以下、ＲＡＭと記す）であり、ＣＰＵ３０１の主メモリ、実行プログラムの領域や該プログラムの実行エリア、並びにデータエリアとして機能する。
【００２５】
３０３はＣＰＵ３０１の動作処理手順を記憶しているリードオンリーメモリ（以下、ＲＯＭと記す）である。ＲＯＭ３０３には、情報処理装置の機器制御を行うシステムプログラムである基本ソフト（ＯＳ）を記録したプログラムＲＯＭと、システムを稼働するために必要な情報等が記録されているデータＲＯＭとがある。また、ＲＯＭ３０３の代わりに、後述のＨＤＤ３０９を用いる場合もある。
【００２６】
３０４はネットワークインターフェース（ＮＥＴＩＦ）であり、ネットワークを介して情報処理装置間のデータ転送を行うための制御や接続状況の診断を行う。３０５はビデオＲＡＭ（ＶＲＡＭ）であり、後述する情報処理装置の稼働状態を示すＣＲＴ３０６の画面に表示させるための画像を展開し、その表示の制御を行う。
【００２７】
３０６はディスプレイ等の表示装置（以下、ＣＲＴと記す）である。３０７は外部入力装置３０８からの入力信号を制御するためのコントローラ（以下、ＫＢＣと記す）である。３０８は利用者が行う操作を受け付けるための外部入力装置（以下、ＫＢＣと記す）であり、例えばキーボードやマウス等のポインティングデバイスが用いられる。
【００２８】
３０９はハードディスクドライブ（以下、ＨＤＤと記す）であり、アプリケーションプログラムや各種データ保存用に用いられる。本実施形態におけるアプリケーションプログラムとは、本実施形態における各種処理モジュールを実行するソフトウェアプログラム等である。
【００２９】
３１０は外部入出力装置（以下、ＦＤＤと記す）であり、例えばフロッピー（登録商標）ディスクドライブや、ＣＤＲＯＭドライブ等のリムーバブルディスクを入出力するものであり、上述したアプリケーションプログラムの媒体からの読み出し等に用いられる。
【００３０】
３１３はＦＤＤ３１０によって読み出しされる磁気記録媒体（例えば、Ｚｉｐやフロッピー（登録商標）ディスクや外付けハードディスク）、光記録媒体（例えば、ＣＤ−ＲＯＭ）、光磁気記録媒体（例えば、ＭＯ）、半導体記録媒体（例えば、メモリカード）等の取り外し可能なデータ記録装置（リムーバブル・メディア）である（以下、ＦＤと記す）。なお、ＨＤＤ３０９に格納するアプリケーションプログラムやデータをＦＤＤ３１０に格納して使用することも可能である。
【００３１】
３１１は後述するＰＲＴ３１２への出力信号を制御するためのコントローラ（以下、ＰＲＴＣと記す）である。３１２は印刷装置（以下、ＰＲＴと記す）であり、例えばＬＢＰ（Ｌａｓｅｒ  Ｂｅａｍ  Ｐｒｉｎｔｅｒ）等が用いられる。３００は上述した各ユニット間を接続するための伝送バス（アドレスバス、データバス、入出力バス、及び制御バス）である。
【００３２】
＜センターサーバ１０２内の制御及び情報の流れ＞
図４は、センターサーバ１０２内の処理モジュール群、格納装置群間の制御及び情報の流れを示すブロック図であり、同図中の矢印は、処理モジュール間の制御や情報の流れのうち主要なものを表す。
【００３３】
同図において、２０２、２０３、４０２は処理モジュールであり、図２において説明したものには同じ符号を付している。これら処理モジュールは、図３に示したＲＯＭ３０３、ＨＤＤ３０９、又はＦＤＤ３１０より読み込まれてＲＡＭ３０２に展開され、ＣＰＵ３０１で使用されるアプリケーションプログラム、又はプログラムの一部として動作するモジュールである。
【００３４】
２０４、４０１、４０３は情報格納装置であり、ファイルシステム又はデータベースシステムを用いてセンターサーバ１０２におけるＨＤＤ３０９、ＲＡＭ３０２、及びＦＤＤ３１０の少なくとも１つを用いて情報を格納する。また、情報格納装置２０４、４０１、４０３に格納された情報に対しては、特定のキーや条件で直接特定の情報へのアクセスが可能である。
【００３５】
情報処理装置（センターサーバ１０２）とその中の処理モジュールや情報格納装置２０４、４０１、４０３との関係は、自動起動されるか、もしくはオペレータがＫＢ３０８より入力した情報や指示によりＫＢＣ３０７を通じて、必要に応じてＲＡＭ３０２に展開しＣＰＵ３０１へ伝えられる。ＣＰＵ３０１で演算し必要な処理モジュールと情報格納装置２０４、４０１、４０３に格納された情報をＲＯＭ３０３、ＨＤＤ３０９、ＦＤＤ３１０或いはＲＡＭ３０２等よりＲＡＭ３０２に展開しＣＰＵ３０１へ伝え、ＣＰＵ３０１で演算した結果を、必要がある場合に、ＲＡＭ３０２、ＨＤＤ３０９及びＦＤＤ３１０等に存在する情報格納装置２０４、４０１、４０３に書き込む。また同時に、ＣＰＵ３０１での演算した結果を、必要がある場合に、ＶＲＡＭ３０５を介してＣＲＴ３０６に表示するものである。
【００３６】
ＣＰＵ３０１、ＲＡＭ３０２、ＲＯＭ３０３、ＮＥＴＩＦ３０４、ＶＲＡＭ３０５、ＫＢＣ３０７、ＨＤＤ３０９、ＦＤＤ３１０間の伝送は、伝送バス３００を通じて行われる。
【００３７】
以下、各々の処理モジュール２０２、２０３、４０２及び情報格納装置２０４、４０１、４０３について具体的に説明する。
【００３８】
図４に示した受注処理モジュール２０２は、プログラムＲＯＭ３０３からＲＡＭ３０２に読み込まれて利用可能となるプログラムである印刷サービス提供部４０４と、受注処理実行部４０５とから構成される。印刷サービス提供部４０４は、サービスサイトの提供する印刷サービス情報を格納する印刷サービス格納装置２０４中のサイト提供印刷サービス記憶部４０６の情報を基に、印刷サービスをユーザ向けに公開する。受注処理実行部４０５は、ユーザが選択して発注した印刷注文情報から、印刷注文情報格納装置４０３中の注文情報記憶部４１５に注文情報を、印刷データ記憶部４１６に印刷データをそれぞれ格納する。
【００３９】
翻訳処理モジュール４０２は、プログラムＲＯＭ３０３からＲＡＭ３０２に読み込まれて利用可能となるプログラムである翻訳処理部４１１と、翻訳個別処理部４１２と、登録処理部４１３とから構成される。受注処理モジュール２０２中の受注処理実行部４０５からの指示により、翻訳処理部４１１は、印刷サービス格納装置２０４中のサイト提供印刷サービス記憶部４０６と印刷拠点実施サービス記憶部４０７とで共通で用いられる用語類を定義し格納する印刷サービス共通用語辞書記憶部４０８の情報を利用して、ユーザが選択したサイト提供印刷サービス情報と対応する印刷拠点実施サービスを印刷拠点実施サービス記憶部４０７から取得することにより、印刷出力を行う印刷拠点サーバ１０３（Ｘ）を選択し、印刷注文情報格納装置４０３中の印刷設定記憶部４１４に印刷サービス種類や異なる印刷装置においても共通な設定である共通印刷設定などを格納する。
【００４０】
該当する印刷装置２０８（Ｘ）／後加工機２０９（Ｘ）ごとに用意される翻訳個別処理部４１２は、翻訳処理部４１１の指示により実行され、翻訳情報格納装置４０１中の翻訳辞書情報記憶部４０９に格納される印刷装置２０８（Ｘ）ごとに固有な印刷設定情報、及び後加工機２０９（Ｘ）ごとに固有な後加工処理設定を取得して、印刷注文情報格納装置４０３中の印刷設定記憶部４１４に印刷装置２０８や後加工機２０９ごとに異なる設定である個別印刷設定と後加工処理設定を格納する。
【００４１】
登録処理部４１３は、印刷拠点サーバ１０３などからの指示により起動し、印刷サービス格納装置２０４中の印刷拠点実施サービス記憶部４０７に印刷拠点サーバ１０３（Ｘ）が実施する印刷サービス情報を格納し、翻訳情報格納装置４０１中の印刷装置情報記憶部４１０に印刷拠点サーバ１０３（Ｘ）にある印刷装置２０８（Ｘ）や後加工機２０９（Ｘ）の情報を登録し、翻訳辞書情報記憶部４０９に印刷サービスを実施するのに必要な具体的な印刷装置２０８（Ｘ）や後加工機２０９（Ｘ）ごとに固有な設定を格納する。
【００４２】
配信処理モジュール２０３は、プログラムＲＯＭ３０３からＲＡＭ３０２に読み込まれて利用可能となるプログラムであり、印刷拠点サーバ１０３（Ｘ）に関連する印刷注文情報格納装置４０３中の印刷設定記憶部４１４に格納された印刷設定と、注文情報記憶部４１５に格納された注文情報と、印刷データ記憶部４１６に格納された印刷データとを抽出して、配信データとして関連付けて印刷拠点サーバ１０３（Ｘ）に配信する。
【００４３】
＜印刷拠点サーバ１０３内の制御及び情報の流れ＞
図５は、印刷拠点サーバ１０３内の制御及び情報の流れを示す図であり、同図に示す矢印は、処理モジュール間の制御や情報の流れのうち主要なものを表す。
【００４４】
同図において、２０５、２０６、２０７は処理モジュールであり、図２において説明したものには同じ符号を付している。これら処理モジュールは、図３に示したＲＯＭ３０３、ＨＤＤ３０９、又はＦＤＤ３１０より読み込まれてＲＡＭ３０２に展開され、ＣＰＵ３０１で使用されるアプリケーションプログラム、又はプログラムの一部として動作するモジュールである。
【００４５】
図５において、５０１は印刷注文情報格納装置であり、ファイルシステム又はデータベースシステムを用いて印刷拠点サーバ１０３におけるＨＤＤ３０９、ＲＡＭ３０２、及びＦＤＤ３１０の少なくとも１つを用いて情報を格納する。また、情報格納装置５０１に格納された情報へは、特定のキーや条件で直接特定の情報へのアクセスが可能である。
【００４６】
印刷拠点サーバ１０３と印刷装置２０８間の処理の流れは、ＮＥＴＩＦ３０４を通じてネットワーク２１０を介して接続されている場合は印刷装置２０８に伝送される。また、印刷拠点サーバ１０３と印刷装置２０８の間のもう一つ処理の流れは、ＰＲＴＣ３１１を介してＰＲＴ３１２、つまり印刷装置２０８に伝送される。なお、印刷装置２０８とＰＲＴ３１２の違いは、印刷拠点サーバ１０３との接続形態が違うだけである。つまり、印刷拠点サーバ１０３と印刷装置２０８とが直接接続されている場合は、印刷装置２０８とＰＲＴ３１２は同じ装置になる。
【００４７】
情報処理装置（印刷拠点サーバ１０３）とその中の処理モジュール２０５、２０６、２０７や情報格納装置５０１との関係は、オペレータがＫＢ３０８より入力した情報や指示によりＫＢＣ３０７を通じて、必要に応じてＲＡＭ３０２に展開しＣＰＵ３０１へ伝えられる。ＣＰＵ３０１で演算し必要な処理モジュールと情報格納装置５０１に格納された情報を、ＲＯＭ３０３、ＨＤＤ３０９、ＦＤＤ３１０或いはＲＡＭ３０２等よりＲＡＭ３０２に展開しＣＰＵ３０１へ伝え、ＣＰＵ３０１で演算した結果を、必要がある場合に、ＲＡＭ３０２、ＨＤＤ３０９、及びＦＤＤ３１０等に存在する情報格納装置５０１に書き込む。また同時に、ＣＰＵ３０１での演算した結果を、必要がある場合に、ＶＲＡＭ３０５を介してＣＲＴ３０６に表示するものである。
【００４８】
ＣＰＵ３０１、ＲＡＭ３０２、ＲＯＭ３０３、ＮＥＴＩＦ３０４、ＶＲＡＭ３０５、ＫＢＣ３０７、ＨＤＤ３０９、及びＦＤＤ３１０間の伝送は伝送バス３００を通じて行われる。
【００４９】
以下、各々の処理モジュール２０５、２０６、２０７及び情報格納装置５０１について具体的に説明する。
【００５０】
図５に示した受注処理モジュール２０５は、プログラムＲＯＭ３０３からＲＡＭ３０２に読み込まれて利用可能となるプログラムであり、センターサーバ１０２の配信処理モジュール２０３から配信された配信データに含まれる印刷設定を印刷注文情報格納装置５０１中の印刷設定記憶部５０２に格納し、注文情報を印刷注文情報格納装置５０１中の注文情報記憶部５０３に格納し、印刷データを印刷注文情報格納装置５０１中の印刷データ記憶部５０４に格納する。
【００５１】
印刷設定表示モジュール２０６は、印刷拠点サーバ１０３のオペレータの指示により起動するプログラムＲＯＭ３０３からＲＡＭ３０２に読み込まれて利用可能となるプログラムである表示部５０５と解析部５０６から構成される。解析部５０６は、印刷注文情報格納装置５０１中の印刷設定記憶部５０２に格納された印刷装置２０８（Ｘ）に対する印刷設定及び後加工機２０９（Ｘ）で行う処理を解析し、表示部５０５が解析の結果である印刷装置２０８（Ｘ）に対する印刷設定及び後加工機２０９（Ｘ）で行う処理をＣＲＴ３０６上に設定確認画面を表示する。
【００５２】
印刷装置管理モジュール２０７は、印刷拠点サーバ１０３のオペレータの指示により起動するプログラムＲＯＭ３０３からＲＡＭ３０２に読み込まれて利用可能となるプログラムである印刷装置設定処理部５０７と印刷処理実行部５０８と印刷装置設定情報取得処理部５０９と登録処理部５１０とから構成される。印刷装置設定処理部５０７がＣＲＴ３０６上に表示する入力画面を用いてオペレータは、ＣＲＴ３０６上に印刷設定表示モジュール２０６の表示部５０５が表示している設定確認画面の指示に従い、印刷装置２０８（Ｘ）に対する印刷設定を入力し、入力された設定に従って印刷設定が確定する。
【００５３】
印刷処理実行部５０８は、印刷注文情報格納装置５０１中の印刷データ記憶部５０４に格納された印刷データを抽出し、該印刷設定情報と共に印刷装置２０８（Ｘ）にネットワーク２１０を介して送ることにより印刷装置２０８（Ｘ）にて出力させる。印刷装置設定情報取得処理部５０９は、ネットワーク２１０を介して印刷装置２０８から設定可能な印刷設定の情報を取得し、登録処理部５１０は印刷装置設定情報取得処理部５０９が取得した設定可能な印刷設定情報と、オペレータがＣＲＴ３０６上に表示された入力画面より入力する後加工機２０９で処理可能な後加工処理情報とをセンターサーバ１０２の翻訳処理モジュール４０２の登録処理部４１３を利用してセンターサーバ１０２に登録する。
【００５４】
＜各記憶部のデータベース及び翻訳処理＞
図６は、図４で示した印刷サービス格納装置２０４中のサイト提供印刷サービス記憶部４０６、印刷サービス共通用語辞書記憶部４０８及び翻訳情報格納装置４０１中の印刷装置情報記憶部４１０のデータベースイメージ図である。また、図７は、センターサーバ１０２において実行される、印刷拠点サーバ１０３の印刷サービス情報を印刷設定方法指示書（印刷拠点サーバ１０３の各々の印刷装置２０８個別の印刷設定及び後加工機２０９個別の処理の指示を表す）に翻訳する翻訳処理を説明するための概念図であり、同図中の矢印は、翻訳処理の制御及び情報の流れを表す。
【００５５】
図６において、６０４は、印刷サービス格納装置２０４中の印刷サービス共通用語辞書記憶部４０８のデータベース・イメージを表しており、印刷サービスを構成する用紙サイズや印刷領域などの「項目」と、「項目」で選択可能なＩＤのリストである「サービスリスト」などから構成される。
【００５６】
６０２は、印刷サービス格納装置２０４中のサイト提供印刷サービス記憶部４０６のデータベース・イメージを表しており、格納される情報は、印刷サービスの名称を表す「印刷サービス種類」と、印刷サービス共通用語辞書記憶部４０８から選択した「項目」と、「項目」に対応する印刷サービス共通用語辞書記憶部４０８のサービスリストから選択したＩＤである「種類」と、ＩＤである「種類」の意味をクライアントコンピュータ１０１を利用するユーザに表示するための「表示名」など、から構成される。
【００５７】
６０６は、翻訳情報格納装置４０１中の印刷装置情報記憶部４１０のデータベース・イメージを表しており、格納される情報は、どの印刷拠点サーバ１０３の情報であるのかを判別するための「印刷拠点サーバ」と、どの印刷装置２０８又は後加工機２０９であるのかを判別するための「印刷装置」と、印刷サービス共通用語辞書記憶部４０８から選択した「項目」と、該当の印刷装置２０８（Ｘ）もしくは後加工機２０９（Ｘ）で設定が可能な情報を格納する「設定可能リスト」など、から構成される。
【００５８】
図７において、６０３は、印刷サービス格納装置２０４中の印刷拠点実施サービス記憶部４０７のデータベース・イメージを表しており、格納される情報は、印刷拠点サーバ１０３（Ｘ）のオペレータに表示する印刷拠点サーバ１０３（Ｘ）が行う印刷サービスの名称を表す「印刷サービス種類」と、どの印刷拠点サーバ１０３に関連する印刷サービスなのかを表す「印刷拠点サーバ」と、印刷処理を行う印刷装置２０８を判別する「印刷装置」と、後加工処理を行う後加工機２０９を判別する「後加工機」と、印刷サービス共通用語辞書記憶部４０８から選択した「項目」と、「項目」に対応する印刷サービス共通用語辞書記憶部４０８のサービスリストから選択したＩＤである「種類」と、ＩＤである「種類」の意味を印刷拠点サーバ１０３（Ｘ）のオペレータに表示するための「表示名」など、から構成される。
【００５９】
６０５は、翻訳情報格納装置４０１中の翻訳辞書情報記憶部４０９のデータベース・イメージを表しており、格納される情報は、どの印刷拠点サーバ１０３の情報であるのかを判別するための「印刷拠点サーバ」と、どの印刷装置２０８又は後加工機２０９であるのかを判別するための「印刷装置」と、印刷サービス共通用語辞書記憶部４０８から選択した「項目」と、該当の印刷装置２０８（Ｘ）もしくは後加工機２０９（Ｘ）固有の設定を格納する「個別設定」など、から構成される。
【００６０】
６０１は、印刷注文情報格納装置４０３中の印刷設定記憶部４１４のデータベース・イメージ及び配信データに含まれる印刷設定方法指示書のイメージを表している。
【００６１】
センターサーバ１０２において行われる、印刷拠点サーバ１０３の印刷サービス情報を、印刷拠点サーバ１０３における各々の印刷装置２０８固有の印刷設定及び後加工機２０９固有の処理の指示を表す印刷設定方法指示書に翻訳する翻訳処理は、次の順序で実施される。
【００６２】
まず、翻訳処理モジュール４０２の翻訳処理部４１１が印刷サービス格納装置２０４中の印刷拠点実施サービス記憶部４０７から該当の印刷サービス情報を抽出し（Ｔ１）、
抽出した情報から印刷拠点が異なっても共通の設定項目を、印刷注文情報格納装置４０３中の印刷設定記憶部４１４に共通印刷設定として格納し（Ｔ２）、
続いて印刷装置２０８／後加工機２０９単位もしくは印刷拠点サーバ１０３単位で設定可能である翻訳個別処理部４１２を起動し（Ｔ３）、
翻訳個別処理部４１２が翻訳情報格納装置４０１の翻訳辞書情報記憶部４０９から印刷拠点サーバ１０３と印刷装置２０８／後加工機２０９ごとに個別の設定項目を取得し（Ｔ４）、
印刷注文情報格納装置４０３中の印刷設定記憶部４１４に格納した印刷設定データに、取得した個別印刷設定と後加工処理設定の情報を追加して格納する（Ｔ５）。
【００６３】
＜印刷設定記憶部４１４のフォーマット＞
図８は、センターサーバ１０２内における印刷注文情報格納装置４０３中の印刷設定記憶部４１４のフォーマットを示す図であり、図７の６０１で表したデータベース・イメージ及び配信データに含まれる印刷設定方法指示書のイメージ構成も示している。
【００６４】
印刷設定テーブル７００は、印刷注文情報格納装置４０３中の注文情報記憶部４１５に格納された注文情報と結びつけるための注文番号７０１、印刷注文情報格納装置４０３中の印刷データ記憶部４１６に格納された印刷データと結びつけるための印刷データ番号７０２、印刷部数を格納する部数７０３、選択された印刷拠点サーバ１０３（Ｘ）が行う印刷サービスを格納する印刷サービス種類７０４、翻訳処理モジュール４０２の翻訳処理部４１１が設定する、異なる印刷装置２０８においても共通な設定を格納する共通印刷設定７０５、翻訳処理モジュール４０２の翻訳個別処理部４１２が設定する印刷装置２０８でそれぞれ異なる設定を格納する個別印刷設定７０６、及び翻訳処理モジュール４０２の翻訳個別処理部４１２が設定する後加工機２０９で行う後加工処理を格納する後加工処理設定７０７など、から構成される。
【００６５】
＜設定確認画面の画面イメージ例＞
図９は、設定確認画面の画面イメージの一例を示す図である。
【００６６】
この画面は、印刷拠点サーバ１０３内おける印刷設定表示モジュール２０６の表示部５０５によりＣＲＴ３０６上に表示され、印刷拠点サーバ１０３のオペレータが、印刷装置管理モジュール２０７中の印刷装置設定処理部５０７を用いて印刷装置２０８（Ｘ）の設定を行う際の設定情報を取得するためや、後加工機２０９（Ｘ）での後加工処理を行う際の後加工処理情報を取得するために操作するものである。
【００６７】
＜印刷設定画面の画面イメージ例＞
図１０は、印刷拠点サーバ１０３のオペレータが操作する印刷設定画面の画面イメージの一例を示す図である。
【００６８】
この画面は、印刷拠点サーバ１０３内における印刷装置情報取得処理部５０９で取得した印刷設定情報を、登録処理部５１０がセンターサーバ１０２における登録処理部４１３を介することにより、翻訳辞書情報記憶部４０９に登録し、また翻訳情報格納装置４０１の印刷装置情報記憶部４１０に印刷装置２０８や後加工機２０９の設定情報を登録する際に、印刷拠点サーバ１０３のオペレータが操作するための、ＣＲＴ３０６上に表示される画面である。
【００６９】
図１０の「共通設定」の欄には、センターサーバ１０２における印刷サービス格納装置２０４中の印刷拠点実施サービス記憶部４０７に格納される該当の印刷拠点サーバ１０３（Ｘ）の印刷サービス情報が表示され、「個別詳細設定」の欄に、該当の印刷サービスを実施するのに必要な印刷装置２０８や後加工機２０９の詳細設定情報を入力する。
【００７０】
＜センターサーバ１０２の処理＞
図１１は、センターサーバ１０２が印刷注文を受注した際の印刷設定指示を含む一連の処理を表すフローチャートである。なお、この図１１のフローチャートに従ったプログラムをセンターサーバ１０２内のプログラムＲＯＭ３０３に格納し動作することにより、以下の制御方法を実現させることが可能となる。
【００７１】
まず、ステップＳ１では、プログラムＲＯＭ３０３からＲＡＭ３０２に読み込まれて利用可能となるプログラムである受注処理モジュール２０２の受注処理実行部４０５が、ユーザが用いるクライアントコンピュータ１０１とネットワーク１００を介して通信することにより、印刷注文を受注する。すなわち、受注処理実行部４０５は、印刷サービス提供部４０４がサイト提供印刷サービス記憶部４０６から抽出してユーザに提示した印刷サービスの中からユーザが選択した印刷サービスに対して、新たに注文情報を生成し、印刷する対象の印刷データを受信して、印刷注文を受注する。
【００７２】
ステップＳ２において、受注処理実行部４０５は、ステップＳ１にて生成した注文情報を印刷注文情報格納装置４０３中の注文情報記憶部４１５に格納し、受信した印刷データを印刷データ記憶部４１６に格納する。
【００７３】
続けて受注処理実行部４０５は、ステップＳ３において、プログラムＲＯＭ３０３からＲＡＭ３０２に読み込まれて利用可能となるプログラムである翻訳処理モジュール４０２の翻訳処理部４１１を起動する。翻訳処理部４１１の起動時には、ステップＳ１にて選択された印刷サービスのサービス番号が引き渡される。
【００７４】
次いでステップＳ４では、印刷拠点実施サービス記憶部４０７を検索して印刷出力を行う印刷拠点サーバ１０３（Ｘ）を選択し、印刷拠点サーバ１０３（Ｘ）で実施する印刷サービスの情報を取得する。この処理は、翻訳処理部４１１が、起動時に引き渡されたサービス番号をキーにして印刷サービス格納装置２０４中のサイト提供印刷サービス記憶部４０６から該当のサイト提供の印刷サービスを検索して得た情報を基に、印刷サービス共通用語辞書記憶部４０８に格納された用語を用いることにより、実行される。
【００７５】
さらにステップＳ５で翻訳処理部４１１は、ステップＳ４で取得した、印刷拠点サーバ１０３（Ｘ）で行う印刷サービスの情報から、印刷拠点が異なっても共通の、用紙サイズや印刷領域、カラー区分などに代表される共通設定項目を抽出し、ステップＳ１にて生成した注文番号や印刷データ番号、印刷拠点で行う印刷サービス種類などと共に共通印刷設定として、印刷設定記憶部４１４に格納する。
【００７６】
その後のステップＳ６で翻訳処理部４１１は、印刷拠点実施サービス記憶部４０７から得た印刷拠点サーバ番号と印刷装置番号／後加工機番号をキーにして、印刷装置２０８／後加工機２０９単位もしくは印刷拠点サーバ１０３単位で設定可能である翻訳個別処理部４１２をプログラムＲＯＭ３０３からＲＡＭ３０２に読み込んで実行する。
【００７７】
起動されたプログラムである翻訳個別処理部４１２は、印刷サービス共通用語辞書記憶部４０８に格納された用語を用いることにより、印刷拠点サーバ１０３と印刷装置２０８／後加工機２０９ごとに個別に設けられた、クオリティ／仕上げ／オフライン加工処理などに代表される個別設定項目について、クオリティに対して設定される解像度、階調、中間色の設定などに代表される設定詳細を、翻訳情報格納装置４０１の翻訳辞書情報記憶部４０９から取得する。
【００７８】
さらにステップＳ７で翻訳個別処理部４１２は、ステップＳ５で取得した共通の印刷設定項目とステップＳ６で取得した個別の設定項目から、実際に出力する印刷拠点サーバ１０３（Ｘ）の印刷装置２０８（Ｘ）が直接に印刷設定方法指示書を解釈可能な場合、印刷拠点サーバ１０３（Ｘ）を操作するオペレータの印刷装置２０８への設定作業の負荷を軽減するために、該当の印刷装置２０８（Ｘ）が解釈可能なフォーマットで印刷設定方法指示書を作成する。
【００７９】
続いてステップＳ８で翻訳個別処理部４１２は、ステップＳ５で印刷設定記憶部４１４に格納した印刷設定データに、ステップＳ６で取得した個別印刷設定と後加工処理設定の情報を追加して格納する。そして、ステップＳ９では、プログラムＲＯＭ３０３からＲＡＭ３０２に読み込まれて利用可能となるプログラムである配信処理モジュール２０３が、該当の印刷拠点サーバ１０３（Ｘ）に、既知の電子メールなどの仕組みを用いて印刷注文があることを通知することにより、センターサーバ１０２が印刷注文を受注した際の印刷設定指示を含む一連の処理を終了する。
【００８０】
＜印刷拠点サーバ１０３の処理＞
図１２は、印刷拠点サーバ１０３がセンターサーバ１０２から印刷注文を受注した後の処理を示すフローチャートであり、印刷拠点サーバ１０３側が印刷注文を受注した際の、印刷装置２０８での印刷出力や後加工機２０９での後処理を行うまでの一連の処理を表している。なお、この図１２のフローチャートに基づいたプログラムを印刷拠点サーバ１０３内のプログラムＲＯＭ３０３に格納し動作することにより、以下の処理を実現させることが可能となる。
【００８１】
まずステップＳ１１では、オペレータからの指示、もしくは自動起動されて、受注処理モジュール２０５が、センターサーバ１０２の配信処理モジュール２０３と通信することにより、注文情報と印刷データと印刷設定情報などから構成される配信データを取得する。
【００８２】
次のステップＳ１２で受注処理モジュール２０５は、ステップＳ１１で取得した配信データ（印刷注文情報データ）に含まれる注文情報を印刷注文情報格納装置５０１中の注文情報記憶部５０３に、印刷データを印刷注文情報格納装置５０１中の印刷データ記憶部５０４に、印刷設定情報を印刷注文情報格納装置５０１中の印刷設定記憶部５０２にそれぞれ格納する。
【００８３】
さらにステップＳ１３では、オペレータからの指示により印刷設定表示モジュール２０６が起動され、ステップＳ１２で格納した印刷設定情報を解析部５０６が解析し、続いてステップＳ１４にて表示部５０５がＣＲＴ３０６上に、印刷装置２０８（Ｘ）で必要な個別の設定、及び後加工機２０９（Ｘ）で必要な後処理の方法を図９の例で表したような設定確認画面にて表示する。
【００８４】
その後のステップＳ１５では、オペレータからの指示により印刷装置管理モジュール２０７の印刷装置設定処理部５０７が起動され、続いてステップＳ１６にてオペレータは、印刷装置設定処理部５０７がＣＲＴ３０６上に表示する設定入力画面の指示に従うことにより、印刷データ記憶部５０４から印刷対象の印刷データを抽出し、且つステップＳ１４にてＣＲＴ３０６上に表示された設定確認画面を参考にして印刷設定を入力する。なお、印刷装置２０８（Ｘ）が印刷設定方法指示書を直接解釈可能な場合で、且つ図１１のフローチャートのステップＳ７においてセンターサーバ１０２が印刷設定方法指示書を作成してあり配信データに含めて配信されている場合、ステップＳ１６は省略することが可能である。
【００８５】
そして、ステップＳ１７では、ＣＲＴ３０６上に表示された設定入力画面を通じたオペレータからの指示により印刷処理実行部５０８が起動される。その結果、ステップＳ１６で抽出された印刷データ及び印刷設定情報が、ＬＡＮなどのネットワーク２１０で接続された印刷装置２０８（Ｘ）に送信される。これによって、続くステップＳ１８にて印刷装置２０８（Ｘ）に該当の印刷設定が施されて該当の印刷データの出力処理が実行されて、印刷データが出力される。
【００８６】
その後ステップＳ１９にてオペレータは、ステップＳ１４でＣＲＴ３０６上に表示された設定確認画面に後加工機２０９（Ｘ）での後加工処理の方法が表示されているか否かを判断し、表示されている場合はステップＳ２０に進んで、表示された方法に従って断裁や穴あけ加工、製本処理などの後加工処理を行う。これにより、ユーザが所望した印刷出力物が完成し、印刷拠点サーバ１０３がセンターサーバ１０２から印刷注文を受注した際の、印刷装置２０８での印刷や後加工機２０９での後処理を行うまでの一連の処理が終了する。
【００８７】
以上のように本実施形態では、印刷拠点サーバのオペレータが印刷拠点サーバ側で実施する印刷サービス情報を格納する際に、予め印刷サービスと、各々の印刷装置個別の印刷設定及び個別の後加工処理の指示とを画面を利用して一度関連付けておくようにしたので、実際の注文処理時には、注文を行うユーザは印刷装置個々の詳細な設定を意識することなく印刷サービスを選択することができ、注文作業を簡単且つ的確に実行することが可能になると共に、作業を行う印刷拠点サーバのオペレータは、特別な専門的な知識を持っていなくても、画面上に表示される指示に従えば、注文通りの印刷処理及び後加工処理を簡単且つ的確に行うことが可能になる。
【００８８】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステム或いは装置に供給し、そのシステム或いは装置のコンピュータ（又はＣＰＵやＭＰＵ）が記憶媒体に格納されたプログラムコードを読み出し実行することによっても、完成されることは言うまでもない。
【００８９】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼働しているＯＳなどが実際の処理の一部又は全部を行い、その処理によって前述した実施形態の機能が実現される場合も含まれることは言うまでもない。
【００９０】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【００９１】
【発明の効果】
以上説明したように本発明によれば、実際の注文処理時には、注文を行うユーザは処理装置個々の詳細な設定を意識することなくサービスを選択することができ、注文作業を簡単且つ的確に実行することが可能になると共に、作業を行う外部装置のオペレータは、特別な専門的な知識を持っていなくても、画面上に表示される指示に従えば、注文通りの処理を簡単且つ的確に行うことが可能になる。
【図面の簡単な説明】
【図１】本発明の実施の一形態に係る情報処理装置を有するネットワークシステムの構成を示すブロック図である。
【図２】実施形態のネットワークシステムにおける制御及び情報の流れを示す図である。
【図３】センターサーバ１０２及び印刷拠点サーバ１０３の具体的な構成例を示す図である。
【図４】センターサーバ１０２内の処理モジュール群及び格納装置群間の制御及び情報の流れを示すブロック図である。
【図５】印刷拠点サーバ１０３内の制御及び情報の流れを示す図である。
【図６】各記憶部のデータベースを示す図である。
【図７】翻訳処理を示す概念図である。
【図８】センターサーバ１０２内における印刷注文情報格納装置４０３中の印刷設定記憶部４１４のフォーマットを示す図である。
【図９】設定確認画面の画面イメージの一例を示す図である。
【図１０】印刷拠点サーバ１０３のオペレータが操作する印刷設定画面の画面イメージの一例を示す図である。
【図１１】センターサーバ１０２が印刷注文を受注した際の印刷設定指示を含む一連の処理を表すフローチャートである。
【図１２】印刷拠点サーバ１０３がセンターサーバ１０２から印刷注文を受注した後の処理を示すフローチャートである。
【符号の説明】
１００            ネットワーク
１０１            クライアントコンピュータ
１０２            センターサーバ
１０３            印刷拠点サーバ
２０１            ネットワーク閲覧モジュール
２０２            受注処理モジュール
２０３            配信処理モジュール
２０４            印刷サービス格納装置
２０５            受注処理モジュール
２０６            印刷設定表示モジュール
２０７            印刷装置管理モジュール
２０８            印刷装置
２０９            後加工機
３０３            ＲＯＭ（読み出し専用メモリ）
３０６            ＣＲＴ（ディスプレイ）
３１２            ＰＲＴ（プリンタ）
４０１            翻訳情報格納装置
４０２            翻訳処理モジュール
４０３            印刷注文情報格納装置
４０４            印刷サービス提供部
４０５            受注処理実行部
４０６            サイト提供印刷サービス記憶部
４０７            印刷拠点実施サービス記憶部
４０８            印刷サービス共通用語辞書記憶部
４０９            翻訳辞書情報記憶部
４１０            印刷装置情報記憶部
４１１            翻訳処理部
４１２            翻訳個別処理部
４１３，５１０  登録処理部
４１４            印刷設定記憶部
４１５            注文情報記憶部
４１６            印刷データ記憶部
５０１            印刷注文情報格納装置
５０２            印刷設定記憶部
５０３            注文情報記憶部
５０４            印刷データ記憶部
５０５            表示部
５０６            解析部
５０７            印刷装置設定処理部
５０８            印刷処理実行部
５０９            印刷装置設定情報取得処理部
【図１】
2005011016.tif 000003
【図２】
2005011016.tif 000004
【図３】
2005011016.tif 000005
【図４】
2005011016.tif 000006
【図５】
2005011016.tif 000007
【図６】
2005011016.tif 000008
【図７】
2005011016.tif 000009
【図８】
2005011016.tif 000010
【図９】
2005011016.tif 000011
【図１０】
2005011016.tif 000012
【図１１】
2005011016.tif 000013
【図１２】
2005011016.tif 000014